【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
次の一般式：
【化１】
2004323846.tif 000001
（式中、Ｒはアルキル基、アリール基、アリールアルキル基、又はアルキルアリール基であり、Ｒはフェニル部分に結合されて環を形成することができ、Ｒ’の各々は、互いに独立に、ハロゲン原子、アルキル基、アルコキシ基、ニトリル基、ニトロ基、アミド基、又はスルホンアミド基であり、ｚは０、１、２、３、又は４の整数であり、ｎは各アルキレンオキシド繰返し単位における炭素原子の数を表わす整数であり、ｘはアルキレンオキシド繰返し単位の数を表わす整数であり、少なくとも約５であり、Ａ及びＢの各々は、互いに独立に、水素原子、ハロゲン原子、第３級アミノ基、イミン基、アンモニウム基、シアノ基、ピリジン基、ピリジニウム基、エーテル基、エステル基、アミド基、硫酸基、スルホネート基、スルフィド基、スルホキシド基、ホスフィン基、ホスホニウム基、リン酸基、ニトリル基、ニトロ基、スルホン基、アシル基、アゾ基、シアナト基、アルキル基、アルコキシ基、アリール基、アリールオキシ基、アリールアルキル基、アリールアルキルオキシ基、アルキルアリール基、又はアルキルアリールオキシ基であり、Ａ及びＢは互いに結合して環を形成することができる。）
で表される着色剤化合物であって、前記着色剤は、１分子当り１つより多くない−ＯＨ、−ＳＨ、もしくは第１級又は第２級アミノ基を有することを特徴とする着色剤化合物。
【請求項２】
Ｒが少なくとも１個の炭素原子を有し、約５０個より多くない炭素原子を有するアルキル基、少なくとも約５個の炭素原子を有し、約５０個より多くない炭素原子を有するアリール基、少なくとも約６個の炭素原子を有し、約５０個より多くない炭素原子を有するアリールアルキル基、又は少なくとも約６個の炭素原子を有し、約５０個より多くない炭素原子を有するアルキルアリール基であることを特徴とする請求項１に記載の着色剤化合物。
【請求項３】
Ｒがエチル基であることを特徴とする請求項１に記載の着色剤化合物。
【請求項４】
ｎが約１８より大きくないことを特徴とする請求項１に記載の着色剤化合物。
【請求項５】
ｘが約１００より大きくないことを特徴とする請求項１に記載の着色剤化合物。
【請求項６】
ｘが約２０より大きくないことを特徴とする請求項１に記載の着色剤化合物。
【請求項７】
次の一般式：
【化２】
2004323846.tif 000002
（式中、Ｒはアルキル基、アリール基、アリールアルキル基、又はアルキルアリール基であり、Ｒはフェニル部分に結合されて環を形成することができ、Ｒ’の各々は、互いに独立に、ハロゲン原子、アルキル基、アルコキシ基、ニトリル基、ニトロ基、アミド基、又はスルホンアミド基であり、ｚは０、１、２、３、又は４の整数であり、ｎは各アルキレンオキシド繰返し単位における炭素原子の数を表わす整数であり、ｘはアルキレンオキシド繰返し単位の数を表わす整数であって少なくとも約２であり、Ａ及びＢの各々は、互いに独立に、水素原子、ハロゲン原子、第３級アミノ基、イミン基、アンモニウム基、シアノ基、ピリジン基、ピリジニウム基、エーテル基、エステル基、アミド基、硫酸基、スルホネート基、スルフィド基、スルホキシド基、ホスフィン基、ホスホニウム基、リン酸基、ニトリル基、ニトロ基、スルホン基、アシル基、アゾ基、シアナト基、アルキル基、アルコキシ基、アリール基、アリールオキシ基、アリールアルキル基、アリールアルキルオキシ基、アルキルアリール基、又はアルキルアリールオキシ基であり、Ａ及びＢは互いに結合して環を形成することができる。）
で表される着色剤化合物であって、前記着色剤は、１分子当り１つより多くない−ＯＨ、−ＳＨ、もしくは第１級又は第２級アミノ基を有し、Ｒ’の各々は互いに独立に、フッ素原子、塩素原子、臭素原子、ヨウ素原子、少なくとも１個の炭素原子を有し、約２５個より多くない炭素原子を有するアルキル基、少なくとも１つの炭素原子を有し、約２５個より多くない炭素原子を有するアルコキシ基、ニトリル基、ニトロ基、次の一般式：
【化３】
2004323846.tif 000003
（式中、Ｒmは水素原子、少なくとも１個の炭素原子を有し、約５０個より多くない炭素原子を有するアルキル基、少なくとも５個の炭素原子を有し、約５０個より多くない炭素原子を有するアリール基、少なくとも約６個の炭素原子を有し、約５０個より多くない炭素原子を有するアリールアルキル基、又は約６個の炭素原子を有し、約５０個より多くない炭素原子を有するアルキルアリール基である。）で表されるアミド基、又は次の一般式：
【化４】
2004323846.tif 000004
（式中、Ｒpは水素原子、少なくとも１個の炭素原子を有し、約５０個より多くない炭素原子を有するアルキル基、少なくとも５個の炭素原子を有し、約５０個より多くない炭素原子を有するアリール基、少なくとも約６個の炭素原子を有し、約５０個より多くない炭素原子を有するアリールアルキル基、又は少なくとも約６個の炭素原子を有し、約５０個より多くない炭素原子を有するアルキルアリール基である。）で表されるスルホンアミド基であることを特徴とする着色剤化合物。
【請求項８】
次の一般式：
【化５】
2004323846.tif 000005
（式中、Ｒはアルキル基、アリール基、アリールアルキル基、又はアルキルアリール基であり、Ｒはフェニル部分に結合されて環を形成することができ、Ｒ’の各々は、互いに独立に、ハロゲン原子、アルキル基、アルコキシ基、ニトリル基、ニトロ基、アミド基、又はスルホンアミド基であり、ｚは０、１、２、３、又は４の整数であり、ｎは各アルキレンオキシド繰返し単位における炭素原子の数を表わす整数であり、ｘはアルキレンオキシド繰返し単位の数を表わす整数であって少なくとも約２であり、Ａ及びＢの各々は、互いに独立に、水素原子、ハロゲン原子、第３級アミノ基、イミン基、アンモニウム基、シアノ基、ピリジン基、ピリジニウム基、エーテル基、エステル基、アミド基、硫酸基、スルホネート基、スルフィド基、スルホキシド基、ホスフィン基、ホスホニウム基、リン酸基、ニトリル基、ニトロ基、スルホン基、アシル基、アゾ基、シアナト基、アルキル基、アルコキシ基、アリール基、アリールオキシ基、アリールアルキル基、アリールアルキルオキシ基、アルキルアリール基、又はアルキルアリールオキシ基であり、Ａ及びＢは互いに結合して環を形成することができる。）
で表される着色剤化合物であって、前記着色剤は、１分子当り１つより多くない−ＯＨ、−ＳＨ、もしくは第１級又は第２級アミノ基を有し、Ａ及びＢの各々は互いに独立に、フッ素原子、塩素原子、臭素原子、ヨウ素原子、少なくとも１個の炭素原子を有し、約５０個より多くない炭素原子を有するアルキル基、少なくとも１個の炭素原子を有し、約５０個より多くない炭素原子を有するアルコキシ基、少なくとも約５個の炭素原子を有し、約２０個より多くない炭素原子を有するアリール基、少なくとも約５個の炭素原子を有し、約２０個より多くない炭素原子を有するアリールオキシ基、少なくとも約６個の炭素原子を有し、約５０個より多くない炭素原子を有するアリールアルキル基、少なくとも約６個の炭素原子を有し、約５０個より多くない炭素原子を有するアリールアルキルオキシ基、少なくとも約６個の炭素原子を有し、約５０個より多くない炭素原子を有するアルキルアリール基、又は少なくとも約６個の炭素原子を有し、約５０個より多くない炭素原子を有するアルキルアリールオキシ基であることを特徴とする着色剤化合物。
【請求項９】
次の化学式：
【化６】
2004323846.tif 000006
で表されることを特徴とする請求項１に記載の着色剤化合物。
【請求項１０】
次の化学式：
【化７】
2004323846.tif 000007
で表されることを特徴とする請求項１に記載の着色剤化合物。
【請求項１１】
次の一般式：
【化８】
2004323846.tif 000008
（式中、Ｒはアルキル基、アリール基、アリールアルキル基、又はアルキルアリール基であり、Ｒはフェニル部分に結合されて環を形成することができ、Ｒ’の各々は、互いに独立に、ハロゲン原子、アルキル基、アルコキシ基、ニトリル基、ニトロ基、アミド基、又はスルホンアミド基であり、ｚは０、１、２、３、又は４の整数であり、ｎは各アルキレンオキシド繰返し単位における炭素原子の数を表わす整数であり、ｘはアルキレンオキシド繰返し単位の数を表わす整数であって少なくとも約２であり、Ａ及びＢの各々は、互いに独立に、水素原子、ハロゲン原子、第３級アミノ基、イミン基、アンモニウム基、シアノ基、ピリジン基、ピリジニウム基、エーテル基、エステル基、アミド基、硫酸基、スルホネート基、スルフィド基、スルホキシド基、ホスフィン基、ホスホニウム基、リン酸基、ニトリル基、ニトロ基、スルホン基、アシル基、アゾ基、シアナト基、アルキル基、アルコキシ基、アリール基、アリールオキシ基、アリールアルキル基、アリールアルキルオキシ基、アルキルアリール基、又はアルキルアリールオキシ基であり、Ａ及びＢは互いに結合して環を形成することができる。）
で表される部分を２つ又はそれ以上含む化合物であって、前記部分の各々は、−ＯＨ基、−ＳＨ基、もしくは第１級又は第２級アミノ基を含まず、前記部分は、中心原子又は原子団により連結されるか又はポリマーに結合されることを特徴とする化合物。
【請求項１２】
前記部分が、原子団により連結されるか又はイソシアネートから誘導されたポリマーに結合されることを特徴とする請求項１１に記載の化合物。
【請求項１３】
（ａ）モノイソシアネートと（ｂ）次の一般式：
【化９】
2004323846.tif 000009
（式中、Ｒはアルキル基、アリール基、アリールアルキル基、又はアルキルアリール基であり、Ｒはフェニル部分に結合されて環を形成することができ、Ｒ’の各々は、互いに独立に、ハロゲン原子、アルキル基、アルコキシ基、ニトリル基、ニトロ基、アミド基、又はスルホンアミド基であり、ｚは０、１、２、３、又は４の整数であり、ｎは各アルキレンオキシド繰返し単位における炭素原子の数を表わす整数であり、ｘはアルキレンオキシド繰返し単位の数を表わす整数であって少なくとも約２であり、Ａ及びＢの各々は、互いに独立に、水素原子、ハロゲン原子、第３級アミノ基、イミン基、アンモニウム基、シアノ基、ピリジン基、ピリジニウム基、エーテル基、エステル基、アミド基、硫酸基、スルホネート基、スルフィド基、スルホキシド基、ホスフィン基、ホスホニウム基、リン酸基、ニトリル基、ニトロ基、スルホン基、アシル基、アゾ基、シアナト基、アルキル基、アルコキシ基、アリール基、アリールオキシ基、アリールアルキル基、アリールアルキルオキシ基、アルキルアリール基、又はアルキルアリールオキシ基であり、Ａ及びＢは互いに結合して環を形成することができる。）
で表される着色剤との反応生成物であって、前記着色剤は、１分子当り１つより多くない−ＯＨ、−ＳＨ、もしくは第１級又は第２級アミノ基を有することを特徴とする化合物。
【請求項１４】
前記モノイソシアネートが、オクタデシルイソシアネート、ヘキサデシルイソシアネート、オクチルイソシアネート、ブチルイソシアネート、ｔ−ブチルイソシアネート、シクロヘキシルイソシアネート、アダマンチルイソシアネート、エチルイソシアナトアセテート、エトキシカルボニルイソシアネート、フェニルイソシアネート、アルファメチルベンジルイソシアネート、２−フェニルシクロプロピルイソシアネート、ベンジルイソシアネート、２−エチルフェニルイソシアネート、ベンゾイルイソシアネート、メタ−トリルイソシアネート、パラ−トリルイソシアネート、２−ニトロフェニルイソシアネート、３−ニトロフェニルイソシアネート、４−ニトロフェニルイソシアネート、２−エトキシフェニルイソシアネート、３−メトキシフェニルイソシアネート、４−メトキシフェニルイソシアネート、エチル４−イソシアナトベンゾエート、２，６−ジメチルフェニルイソシアネート、１−ナフチルイソシアネート、（ナフチル）エチルイソシアネート、又はこれらの混合物であることを特徴とする請求項１３に記載の化合物。
【請求項１５】
前記イソシアネートがジイソシアネートであることを特徴とする請求項１２に記載の化合物。
【請求項１６】
前記ジイソシアネートが、イソホロンジイソシアネート、トルエンジイソシアネート、ジフェニルメタン−４，４’−ジイソシアネート、水素化ジフェニルメタン−４，４’−ジイソシアネート、テトラ−メチルキシレンジイソシアネート、ヘキサメチレン−１，６−ジイソシアネート、ヘキサメチレン−１，６−ジイソシアネート、ナフチレン−１，５−ジイソシアネート、３，３’−ジメトキシ−４，４’−ビフェニルジイソシアネート、３，３’−ジメチル−４，４’−ビメチル−４，４’−ビフェニルジイソシアネート、フェニレンジイソシアネート、４，４’−ビフェニルジイソシアネート、トリメチルヘキサメチレンジイソシアネート、テトラメチレンキシレンジイソシアネート、４，４’−メチレンビス（２，６−ジエチルフェニルイソシアネート）、１，１２−ジイソシアナトドデカン、１，５−ジイソシアナト−２−メチルペンタン、１，４−ジイソシアナトブタン、シクロヘキシレンジイソシアネート又はその異性体、ヘキサメチレン−１，６−ジイソシアネートのウレチジオンダイマー、又はこれらの混合物であることを特徴とする請求項１５に記載の化合物。
【請求項１７】
前記イソシアネートがトリイソシアネート、ポリイソシアネート、又はこれらの混合物であることを特徴とする請求項１２に記載の化合物。
【請求項１８】
前記部分がポリマーに結合されることを特徴とする請求項１１に記載の化合物。
【請求項１９】
前記ポリマーがポリウレタンであることを特徴とする請求項１８に記載の化合物。
【請求項２０】
前記ポリマーが無水物ポリマーであることを特徴とする請求項１８に記載の化合物。
【請求項２１】
前記無水物ポリマーが環状無水物のポリマーであることを特徴とする請求項２０に記載の化合物。
【請求項２２】
前記無水物ポリマーがアルキルコハク酸無水物、アルケニルコハク酸無水物、又はこれらの混合物のポリマーであることを特徴とする請求項２０に記載の化合物。
【請求項２３】
前記無水物ポリマーが、無水マレイン酸、２，３−ジフェニル無水マレイン酸、無水トリメリット酸、２−フェニル無水グルタル酸、無水ホモフタル酸、無水イサトイン酸、ｎ−メチル無水イサトイン酸、５−クロロ無水イサトイン酸、無水フタル酸、３，３’，４，４’−ベンゾフェノンテトラカルボン酸二無水物、４−メチル無水フタル酸、４，４’−（ヘキサフルオロイソプロピリジン）−無水ジフタル酸、３，６−ジフルオロ無水フタル酸、３，６−ジクロロ無水フタル酸、４，５−ジクロロ無水フタル酸、テトラフルオロ無水フタル酸、テトラクロロ無水フタル酸、テトラブロモ無水フタル酸、３−ヒドロキシ無水フタル酸、１，２，４−ベンゼン無水トリカルボン酸、３−ニトロ無水フタル酸、４−ニトロ無水フタル酸、１，２，４，５−ベンゼンテトラカルボン酸二無水物、無水ジフェン酸、１，８−無水ナフタル酸、４−クロロ−１，８−無水ナフタル酸、４−ブロモ−１，８−無水ナフタル酸、４−アミノ−１，８−無水ナフタル酸、３−ニトロ−１，８−無水ナフタル酸、４−ニトロ−１，８−無水ナフタル酸、４−アミノ−３，６−ジスルホ−１，６−ジスルホ−１，８−無水ナフタル酸ジカリウム塩、１，４，５，８−ナフタレンテトラカルボン酸二無水物、３，４，９，１０−ペリレンテトラカルボン酸二無水物、シス−１，２，３，６−テトラヒドロ無水フタル酸、シス−５−ノルボルネン−エンド−２，３−無水ジカルボン酸、エンド−ビシクロ［２，２，２］オクト−５−エン−２，３−無水ジカルボン酸、カンタリジン、メチル−５−ノルボルネン−２，３−無水ジカルボン酸、エキソ−３，６−エポキシ−１，２，３，６−テトラヒドロ無水フタル酸、ｓ−アセチルメルカプト無水コハク酸、ジアセチル無水酒石酸、ビシクロ［２，２，２］オクト−７−エン−２，３，５，６−テトラカルボン酸二無水物、無水シトラコン酸、２，３−ジメチル無水マレイン酸、１−シクロペンテン−１，２−無水ジカルボン酸、３，４，５，６−テトラヒドロ無水フタル酸、無水ブロモマレイン酸、無水ジクロロマレイン酸、１，４，６，７，７−ヘキサクロロ−５−ノルボルネン−２，３−無水ジカルボン酸、シス−無水アコニット酸、無水グルタル酸、３−メチル無水グルタル酸、２，２−ジメチル無水グルタル酸、３，３−ジメチル無水グルタル酸、３−エチル−３−メチル無水グルタル酸、３，３−テトラメチレン無水グルタル酸、ヘキサフルオロ無水グルタル酸、３，５−ジアセチルテトラヒドロピラン−２，４，６−トリオン、エチレンジアミン四酢酸二無水物、ジエチレントリアミンペンタ酢酸二無水物、無水ジグリコール酸、無水コハク酸、メチル無水コハク酸、２，２−ジメチル無水コハク酸、イソブテニル（ｂｕｔｅｎｅｙｌ）無水コハク酸、２−オクテン−１−イル無水コハク酸、オクタデセニル無水コハク酸、３−オキサビシクロ［３，１，０］ヘキサン−２，４−ジオン、シス−１，２−シクロヘキサン無水ジカルボン酸、トランス−１，２−シクロヘキサン無水ジカルボン酸、ヘキサヒドロ−４−メチル無水フタル酸、無水イタコン酸、２−ドデセン−１−イル無水コハク酸、又はこれらの混合物のポリマーであることを特徴とする請求項２０に記載の化合物。
【請求項２４】
前記無水物ポリマーが無水物とスチレン、ブタジエン、メトキシビニルエーテル、エチレン、アルファ−オレフィン、又はこれらの混合物とのコポリマーであることを特徴とする請求項２０に記載の化合物。
【請求項２５】
前記無水物ポリマーが、ポリ（メチルビニルエーテル−マレイン酸）、ポリ（アクリル酸−コ−マレイン酸）、ポリ（塩化ビニル−コ−ビニル−アセテート−コ−マレイン酸）、ポリ（エチレン−無水マレイン酸）、ポリ（無水マレイン酸−１−オクタデセン）、ポリ（スチレン−コ−無水マレイン酸）、ポリ（メチルビニルエーテル−無水マレイン酸）、ポリ（エチレン−コ−エチルアクリレート−コ−無水マレイン酸）、ポリ（エチレン−コ−ビニルアセテート）−グラフト−無水マレイン酸、ポリエチレン−グラフト−無水マレイン酸、ポリプロピレン−グラフト−無水マレイン酸、又はこれらの混合物であることを特徴とする請求項２０に記載の化合物。